(57)【要約】【課題】車内にいるユーザが要望したコンテンツを配信することを可能とする。【解決手段】情報配信システム１０は、インターネットアクセス機能付の携帯端末５０から、ユーザのリクエストを受け付け、自分システム内にリクエストされたコンテンツが蓄積されている場合には該コンテンツを前記携帯端末に配信し、蓄積されていない場合には、情報配信システム１０が設置された車両が駅や停留所に停車したときに、高速無線ＬＡＮでリクエストされたコンテンツを配信サーバ２０より受け取り、車内のユーザが持つ携帯端末５０に配信する。これにより車内にいるユーザが要望したコンテンツを配信する。【選択図】　　　図１
2004139171.tif 000002
【特許請求の範囲】
【請求項１】
配信サーバと車外ＬＡＮで接続され、車内ＬＡＮにて携帯端末に情報を配信する車内に設置された情報配信システムの情報配信方法において、
前記情報配信システムにより、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、
前記車両が駅に停車した際に前記配信サーバにアクセスし、車両ＩＤを伝えて該当するコンテンツを受け取り、自システム内に蓄積すると共に、前記携帯端末に送信するステップと、
を実行することを特徴とする情報配信方法。
【請求項２】
配信サーバと車外ＬＡＮで接続され、車内ＬＡＮにて携帯端末に情報を配信する車内に設置された情報配信システムの情報配信方法において、
前記情報配信システムにより、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤを記憶しておくステップと、
前記車両が駅に停車した際に前記配信サーバにアクセスし、前記コンテンツＩＤ及び車両を特定する車両ＩＤを伝えて該当するコンテンツを受け取るステップと、
該コンテンツを自システム内に蓄積し、かつ前記携帯端末に送信するステップと、
を実行することを特徴とする情報配信方法。
【請求項３】
配信サーバと車外ＬＡＮで接続され、車内ＬＡＮにて携帯端末に情報を配信する車内に設置された情報配信システムの情報配信方法において、
前記情報配信システムにより、
ユーザの私的コンテンツである私書箱コンテンツを予め前記配信サーバに蓄積しておき、
ユーザが前記携帯端末により私書箱コンテンツを選択した際に、前記情報配信システムが設置されている車両を特定する車両ＩＤを前記携帯端末に送信するステップと、
ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、
前記携帯端末より前記車両ＩＤを含むユーザ認証を行うためのデータを受信しユーザ認証がされた場合には前記リクエストのあった私書箱コンテンツを前記携帯端末に送信するステップと、
を実行することを特徴とする情報配信方法。
【請求項４】
配信サーバと車外ＬＡＮで接続され、車内ＬＡＮにて携帯端末に情報を配信する車内に設置された情報配信システムであって、
前記配信サーバより該配信サーバに蓄積されているコンテンツの一覧を示すコンテンツリストを受け取り、保持すると共に、自システム内の各コンテンツの蓄積の有無を管理し、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信し、
前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させると共に、
前記車両が駅に停車した際に前記配信サーバにアクセスし、車両ＩＤを伝えて該当するコンテンツを受け取り、自システム内に蓄積すると共に、前記携帯端末に送信することを特徴とする情報配信システム。
【請求項５】
配信サーバと車外ＬＡＮで接続され、車内ＬＡＮにて携帯端末に情報を配信する車内に設置された情報配信システムであって、
前記配信サーバより該配信サーバに蓄積されているコンテンツの一覧を示すコンテンツリストを受け取り、保持すると共に、自システム内の各コンテンツの蓄積の有無を管理し、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信し、
前記リクエストされたコンテンツが自システム内に蓄積されていない場合には、該コンテンツを識別するコンテンツＩＤを記憶しておき、
前記車両が駅に停車した際に前記配信サーバにアクセスし、前記コンテンツＩＤ及び車両を特定する車両ＩＤを伝えて該当するコンテンツを受け取り、自システム内に蓄積すると共に、前記携帯端末に送信することを特徴とする情報配信システム。
【請求項６】
配信サーバと車外ＬＡＮで接続され、車内ＬＡＮにて携帯端末に情報を配信する車内に設置された情報配信システムであって、
ユーザの私的コンテンツである私書箱コンテンツを予め前記配信サーバに蓄積しておき、
ユーザが前記携帯端末により私書箱コンテンツを選択した際に、前記情報配信システムが設置されている車両を特定する車両ＩＤを前記携帯端末に送信し、
ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積し、
前記携帯端末より前記車両ＩＤを含むユーザ認証を行うためのデータを受信しユーザ認証がされた場合には前記リクエストのあった私書箱コンテンツを前記携帯端末に送信することを特徴とする情報配信システム。
【請求項７】
配信サーバと車外ＬＡＮで接続され、車内に設置された情報配信システムにより車内ＬＡＮにて携帯端末に情報を配信するための情報配信プログラムにおいて、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、
前記車両が駅に停車した際に前記配信サーバにアクセスし、車両ＩＤを伝えて該当するコンテンツを受け取り、自システム内に蓄積すると共に、前記携帯端末に送信するステップと、
をコンピュータに実行させるための情報配信プログラム。
【請求項８】
配信サーバと車外ＬＡＮで接続され、車内に設置された情報配信システムにより車内ＬＡＮにて携帯端末に情報を配信するための情報配信プログラムにおいて、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤを記憶しておくステップと、
前記車両が駅に停車した際に前記配信サーバにアクセスし、前記コンテンツＩＤ及び車両を特定する車両ＩＤを伝えて該当するコンテンツを受け取るステップと、
該コンテンツを自システム内に蓄積し、かつ前記携帯端末に送信するステップと、
をコンピュータに実行させるための情報配信プログラム。
【請求項９】
ユーザの私的コンテンツである私書箱コンテンツが予め蓄積されている配信サーバと車外ＬＡＮで接続され、車内に設置された情報配信システムにより車内ＬＡＮにて携帯端末に情報を配信するための情報配信プログラムにおいて、
ユーザが前記携帯端末により私書箱コンテンツを選択した際に、前記情報配信システムが設置されている車両を特定する車両ＩＤを前記携帯端末に送信するステップと、
ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、
前記携帯端末より前記車両ＩＤを含むユーザ認証を行うためのデータを受信しユーザ認証がされた場合には前記リクエストのあった私書箱コンテンツを前記携帯端末に送信するステップと、
をコンピュータに実行させるための情報配信プログラム。
【請求項１０】
配信サーバと車外ＬＡＮで接続され、車内に設置された情報配信システムにより車内ＬＡＮにて携帯端末に情報を配信するための情報配信プログラムにおいて、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、
前記車両が駅に停車した際に前記配信サーバにアクセスし、車両ＩＤを伝えて該当するコンテンツを受け取り、自システム内に蓄積すると共に、前記携帯端末に送信するステップと、
をコンピュータに実行させるための情報配信プログラムを記録したコンピュータ読み取り可能な記録媒体。
【請求項１１】
配信サーバと車外ＬＡＮで接続され、車内に設置された情報配信システムにより車内ＬＡＮにて携帯端末に情報を配信するための情報配信プログラムにおいて、
前記配信サーバより該配信サーバに蓄積されているコンテンツの一覧を示すコンテンツリストを受け取り、保持すると共に、自システム内の各コンテンツの蓄積の有無を管理するステップと、
前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、
前記リクエストされたコンテンツが自システム内に蓄積されていない場合には、該コンテンツを識別するコンテンツＩＤを記憶しておくステップと、
前記車両が駅に停車した際に前記配信サーバにアクセスし、前記コンテンツＩＤ及び車両を特定する車両ＩＤを伝えて該当するコンテンツを受け取るステップと、
該コンテンツを自システム内に蓄積し、かつ前記携帯端末に送信するステップと、
をコンピュータに実行させるための情報配信プログラムを記録したコンピュータ読み取り可能な記録媒体。
【請求項１２】
ユーザの私的コンテンツである私書箱コンテンツが予め蓄積されている配信サーバと車外ＬＡＮで接続され、車内に設置された情報配信システムにより車内ＬＡＮにて携帯端末に情報を配信するための情報配信プログラムにおいて、
ユーザが前記携帯端末により私書箱コンテンツを選択した際に、前記情報配信システムが設置されている車両を特定する車両ＩＤを前記携帯端末に送信するステップと、
ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、
前記携帯端末より前記車両ＩＤを含むユーザ認証を行うためのデータを受信しユーザ認証がされた場合には前記リクエストのあった私書箱コンテンツを前記携帯端末に送信するステップと、
をコンピュータに実行させるための情報配信プログラムを記録したコンピュータ読み取り可能な記録媒体。
【発明の詳細な説明】
【０００１】
【発明の属する技術分野】
本発明は、列車やバス等の公共の車両に搭載された情報配信システムに係り、特に、車両に搭載された情報配信システムに対して、無線を通じてユーザがリクエストした情報を配信するための、情報配信方法、情報配信システム、情報配信プログラム及びこの情報配信プログラムを記録したコンピュータ読み取り可能な記録媒体に関する。
【０００２】
【従来の技術】
従来の列車やバス等の公共の乗物に搭載された情報配信システムでは、車内に配信サーバが設置されており、そこから、車内にいるユーサが持つ情報端末へ無線でコンテンツを配信していた（例えば、非特許文献１参照）。配信サーバ内のコンテンツの更新は、ＣＤ−ＲＯＭなどのメディアによって行なったり、終点の駅でのみ無線ＬＡＮによって更新するという形態であった。
【０００３】
【非特許文献１】
ＩＮＴＥＲＮＥＴ　Ｗａｔｃｈホームページ「小田急ロマンスカーでも無線によるコンテンツ配信／ノキアとＭｏｂｉｌｅ　ＩＰｖ６の共同実験」（ｈｔｔｐ／／ｗｗｗ．ｗａｔｃｈ．ｉｍｐｒｅｓｓ．ｃｏ．ｊｐ／ｉｎｔｅｒｎｅｔ／ｗｗｗ／ａｒｔｉｃｌｅ／２００１／１２０５／ｏｄａｋｙｕ．ｈｔｍ）の印刷出力物。
【０００４】
【発明が解決しようとする課題】
従来の列車やバス等の公共の車両に搭載された情報配信システムでは、車内にいるユーザは、予め車内の情報配信システムに蓄積されたコンテンツのみ配信を受けることができ、その他のコンテンツを見る手段がなかった。そのため、無数のユーザからのコンテンツに対するリクエストに全て対応することは困難であった。
【０００５】
上記の問題を解決するための一方法として、近年高速化しつつある公衆移動通信網を使用し、直接ユーザの携帯端末にコンテンツを送信する方法がある。しかし、まだ通信速度が動画のような巨大なコンテンツを配信するためには十分ではないことと、通信料金が莫大にかかってしまうという問題がある。
【０００６】
本発明はこのような事情に鑑みてなされたものであり、予め車内の情報配信システムに蓄積されたコンテンツにかぎらず、車内にいるユーザが要望したコンテンツを配信することができる情報配信方法、情報配信システム、情報配信プログラム及びこの情報配信プログラムを記録したコンピュータ読み取り可能な記録媒体を提供することを目的とする。
【０００７】
【課題を解決するための手段】
上記目的を達成するために、請求項１に記載の発明は、配信サーバと車外ＬＡＮで接続され、車内ＬＡＮにて携帯端末に情報を配信する車内に設置された情報配信システムの情報配信方法において、前記情報配信システムにより、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、前記車両が駅に停車した際に前記配信サーバにアクセスし、車両ＩＤを伝えて該当するコンテンツを受け取り、自システム内に蓄積すると共に、前記携帯端末に送信するステップとを実行することを特徴とする。
【０００８】
また、請求項２に記載の発明は、配信サーバと車外ＬＡＮで接続され、車内ＬＡＮにて携帯端末に情報を配信する車内に設置された情報配信システムの情報配信方法において、前記情報配信システムにより、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤを記憶しておくステップと、前記車両が駅に停車した際に前記配信サーバにアクセスし、前記コンテンツＩＤ及び車両を特定する車両ＩＤを伝えて該当するコンテンツを受け取るステップと、該コンテンツを自システム内に蓄積し、かつ前記携帯端末に送信するステップとを実行することを特徴とする。
【０００９】
また、請求項３に記載の発明は、配信サーバと車外ＬＡＮで接続され、車内ＬＡＮにて携帯端末に情報を配信する車内に設置された情報配信システムの情報配信方法において、前記情報配信システムにより、ユーザの私的コンテンツである私書箱コンテンツを予め前記配信サーバに蓄積しておき、ユーザが前記携帯端末により私書箱コンテンツを選択した際に、前記情報配信システムが設置されている車両を特定する車両ＩＤを前記携帯端末に送信するステップと、ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、前記携帯端末より前記車両ＩＤを含むユーザ認証を行うためのデータを受信しユーザ認証がされた場合には前記リクエストのあった私書箱コンテンツを前記携帯端末に送信するステップとを実行することを特徴とする。
【００１０】
また、請求項４に記載の発明は、配信サーバと車外ＬＡＮで接続され、車内ＬＡＮにて携帯端末に情報を配信する車内に設置された情報配信システムであって、　前記配信サーバより該配信サーバに蓄積されているコンテンツの一覧を示すコンテンツリストを受け取り、保持すると共に、自システム内の各コンテンツの蓄積の有無を管理し、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信し、前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させると共に、前記車両が駅に停車した際に前記配信サーバにアクセスし、車両ＩＤを伝えて該当するコンテンツを受け取り、自システム内に蓄積すると共に、前記携帯端末に送信することを特徴とする。
【００１１】
また、請求項５に記載の発明は、配信サーバと車外ＬＡＮで接続され、車内ＬＡＮにて携帯端末に情報を配信する車内に設置された情報配信システムであって、　前記配信サーバより該配信サーバに蓄積されているコンテンツの一覧を示すコンテンツリストを受け取り、保持すると共に、自システム内の各コンテンツの蓄積の有無を管理し、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信し、前記リクエストされたコンテンツが自システム内に蓄積されていない場合には、該コンテンツを識別するコンテンツＩＤを記憶しておき、前記車両が駅に停車した際に前記配信サーバにアクセスし、前記コンテンツＩＤ及び車両を特定する車両ＩＤを伝えて該当するコンテンツを受け取り、自システム内に蓄積すると共に、前記携帯端末に送信することを特徴とする。
【００１２】
また、請求項６に記載の発明は、配信サーバと車外ＬＡＮで接続され、車内ＬＡＮにて携帯端末に情報を配信する車内に設置された情報配信システムであって、　ユーザの私的コンテンツである私書箱コンテンツを予め前記配信サーバに蓄積しておき、ユーザが前記携帯端末により私書箱コンテンツを選択した際に、前記情報配信システムが設置されている車両を特定する車両ＩＤを前記携帯端末に送信し、ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積し、前記携帯端末より前記車両ＩＤを含むユーザ認証を行うためのデータを受信しユーザ認証がされた場合には前記リクエストのあった私書箱コンテンツを前記携帯端末に送信することを特徴とする。
【００１３】
また、請求項７に記載の発明は、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、前記車両が駅に停車した際に前記配信サーバにアクセスし、車両ＩＤを伝えて該当するコンテンツを受け取り、自システム内に蓄積すると共に、前記携帯端末に送信するステップとをコンピュータに実行させるための情報配信プログラムを要旨とする。
【００１４】
また、請求項８に記載の発明は、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤを記憶しておくステップと、前記車両が駅に停車した際に前記配信サーバにアクセスし、前記コンテンツＩＤ及び車両を特定する車両ＩＤを伝えて該当するコンテンツを受け取るステップと、該コンテンツを自システム内に蓄積し、かつ前記携帯端末に送信するステップとをコンピュータに実行させるための情報配信プログラムを要旨とする。
【００１５】
また、請求項９に記載の発明は、ユーザの私的コンテンツである私書箱コンテンツが予め蓄積されている配信サーバと車外ＬＡＮで接続され、車内に設置された情報配信システムにより車内ＬＡＮにて携帯端末に情報を配信するための情報配信プログラムにおいて、ユーザが前記携帯端末により私書箱コンテンツを選択した際に、前記情報配信システムが設置されている車両を特定する車両ＩＤを前記携帯端末に送信するステップと、ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、前記携帯端末より前記車両ＩＤを含むユーザ認証を行うためのデータを受信しユーザ認証がされた場合には前記リクエストのあった私書箱コンテンツを前記携帯端末に送信するステップとをコンピュータに実行させるための情報配信プログラムを要旨とする。
【００１６】
また、請求項１０に記載の発明は、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、前記車両が駅に停車した際に前記配信サーバにアクセスし、車両ＩＤを伝えて該当するコンテンツを受け取り、自システム内に蓄積すると共に、前記携帯端末に送信するステップとをコンピュータに実行させるための情報配信プログラムを記録したコンピュータ読み取り可能な記録媒体を要旨とする。
【００１７】
また、請求項１１に記載の発明は、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤを記憶しておくステップと、前記車両が駅に停車した際に前記配信サーバにアクセスし、前記コンテンツＩＤ及び車両を特定する車両ＩＤを伝えて該当するコンテンツを受け取るステップと、該コンテンツを自システム内に蓄積し、かつ前記携帯端末に送信するステップとをコンピュータに実行させるための情報配信プログラムを記録したコンピュータ読み取り可能な記録媒体を要旨とする。
【００１８】
また、請求項１２に記載の発明は、ユーザの私的コンテンツである私書箱コンテンツが予め蓄積されている配信サーバと車外ＬＡＮで接続され、車内に設置された情報配信システムにより車内ＬＡＮにて携帯端末に情報を配信するための情報配信プログラムにおいて、ユーザが前記携帯端末により私書箱コンテンツを選択した際に、前記情報配信システムが設置されている車両を特定する車両ＩＤを前記携帯端末に送信するステップと、ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、前記携帯端末より前記車両ＩＤを含むユーザ認証を行うためのデータを受信しユーザ認証がされた場合には前記リクエストのあった私書箱コンテンツを前記携帯端末に送信するステップとをコンピュータに実行させるための情報配信プログラムを記録したコンピュータ読み取り可能な記録媒体を要旨とする。
【００１９】
【発明の実施の形態】
以下、本発明の実施形態を、図面を参照して詳細に説明する。本発明の実施形態に係る情報配信システムは、インターネットアクセス機能付の携帯端末から、ユーザのリクエストを受け付け、車両が駅や停留所に停車したときに、高速無線ＬＡＮでリクエストされたコンテンツを車内の情報配信システムに配信し、そこから、車内のユーザか持つ端末に配信することで、車内にいるユーザが要望したコンテンツを配信するものである。
【００２０】
本発明が適用されるネットワークシステムの構成例を図１に示す。同図において、このネットワークシステムは、公共の乗物に搭載されている情報配信システム１０と、配信するコンテンツを保持する配信サーバ２０と、駅または停留所に設置された無線ＬＡＮアクセスポイント３１，３２、３３、配信サーバ２０と無線ＬＡＮアクセスポイント３１、３２、３３を結ぶネットワーク４０と、車内にいるユーザが持つ、ネットワーク４０及び情報配信システム１０と無線接続可能な携帯端末５０とを有している。
【００２１】
本発明の第１の実施形態を実現するための配信サーバ２０の具体的構成を図２に示す。同図において、配信サーバ２０は、通信管理部２００と、蓄積部２０２と、リクエスト受付部２０４とを有し、リクエスト受付部２０４はユーザが所有する携帯端末５０に対して、蓄積部２０２にあるコンテンツのリストを渡し、その中のコンテンツのリクエストを受け付ける。
通信管理部２００は、情報配信システム１０からアクセスがあった際に、リクエスト受付部２０４が受け付けたコンテンツを蓄積部２０２から取り出して、情報配信システム１０に配信する。
【００２２】
本発明の第１実施形態として、ユーザの携帯端末５０が、高速無線ＬＡＮと公衆移動通信網の両方のインタフェースを持っている場合について、説明する。
本発明の第１実施形態を実現するための情報配信システム１０と携帯端末５０の構成例を図３に示す。同図において、情報配信システム１０は、車外用無線ＬＡＮアンテナ１００と、対車外通信管理部１０２と、蓄積部１０４と、対車内通信管理部１０６と、車内用無線ＬＡＮアンテナ１０８と、車両ＩＤ１１０とを有し、対車内通信管理部は１０６は、車内用無線ＬＡＮアンテナ１０８を通して、携帯端末５０と通信し、蓄積部１０４に蓄積されているコンテンツを配信する。
【００２３】
対車外通信管理部１０２は、車外用無線ＬＡＮアンテナ１００を通して、駅に停車したときに無線ＬＡＮアクセスポイント３１〜３３を介して配信サーバ２０より、ユーザからリクエストされたコンテンツの配信を受け、配信されたコンテンツを蓄積部１０４に蓄積する、そして、車両毎にユニークな車両ＩＤ１１０を保持する。
情報配信システム１０は、車両が駅または停留所に停車する毎に、車外用無線ＬＡＮアンテナ１００を通して配信サーバ２０と通信し、配信サーバ２０が持つコンテンツのリストも保持する（図４）。
【００２４】
また、ユーザが所有する携帯端末５０は、無線ＬＡＮアンテナ５００と、通信管理部５０２と、蓄積部５０４と、入出力管理部５０６と、出力部５１０と、入力部５０８と、公衆移動通信網アンテナ５１２とを有し、通信管理部５０２は、無線ＬＡＮアンテナ５００を介して情報配信システム１０と通信し、コンテンツを受取り蓄積部５０４に蓄積し、また、公衆移動通信網アンテナ５１２を介して配信サーバ２０と通信し、コンテンツのリクエスト情報の送信を行う。
【００２５】
入出力管理部５０６は、蓄積部５０４にあるコンテンツを出力部５１０に出力したり、入力部５０８から入力されるコンテンツのリクエストを受け付けたりする。
図５に情報配信システム１０の車内用無線ＬＡＮアンテナ１０８を介した携帯端末５０との処理シーケンスを、図６に情報配信システム１０の車外用無線ＬＡＮアンテナ１００を介した配信サーバ２０との処理シーケンスを、図７に携帯端末５０の処理シーケンスを、それぞれ示す。
【００２６】
図５乃至図７を参照して、本発明の実施形態に係る情報配信システム１０の動作について説明する。これらの図において、ユーザは、携帯端末５０を持ち、通信管理部５０２は無線ＬＡＮアンテナ５００を通じて情報配信システム１０と通信し、情報配信システム１０が蓄積しているコンテンツのリストを受取る（これは図３に示す蓄積部１０４から生成される）（ステップ６００〜６０３、ステップ８００）。図８にそのときの携帯端末５０における出力部５１０の出力例を示す。図８において、情報配信システムにあるものは「○」印を、ないものは「・」をコンテンツ名の前に付けることで、ユーザに車内にそのコンテンツが蓄積されているものなのかどうかを知らせる。
【００２７】
ここで、ユーザは、コンテンツｃを閲覧したいと望んだため、コンテンツｃを選択し、そのリクエストを無線ＬＡＮアンテナ５００を介して、情報配信システム１０へ送信する（ステップ６０４、６０５、８０１）。コンテンツｃが情報配信システム１０の蓄積部１０４に蓄積されていないため（ステップ６０６、８０２）、その際に、携帯端末５０の通信管理部５０２は、無線ＬＡＮアンテナ５００を介して、情報配信システム１０に蓄えられている車両ＩＤ１１０と、選択したコンテンツのコンテンツＩＤを取得する（ステップ６０７、８０４）。
【００２８】
そして、車両ＩＤ１１０と、選択したコンテンツのコンテンツＩＤを公衆移動通信網アンテナ５１２を介して配信サーバ２０へ送信する（ステップ８０５）。
配信サーバ２０は、車両ＩＤと選択されたコンテンツＩＤをペアで保持する。情報配信システム１０の対車外通信管理部１０２は、無線ＬＡＮのセッションが確立するかどうかを一定間隔でボーリングしており（ステップ７００）、セッションが確立すると駅に到着したと判断する。
【００２９】
無線ＬＡＮアクセスポイント３１が設置されたＡ駅に、情報配信システム１０を搭載した車両が到着すると（ステップ７０１）、情報配信システム１０の対車外通信管理部１０２は、配信サーバ２０から、前の駅に到着してから更新されたコンテンツリストを差分更新する（ステップ７０２）。そして、車両ＩＤ１１０を配信サーバ２０へ送信し、配信サーバ２０は、蓄積部２０２から車両ＩＤ１１０を持つコンテンツを検索する（ステップ７０３）。この場合、コンテンツｃが検索されるので（ステップ７０４）、コンテンツｃを情報配信システム１０に配信する（ステップ７０５）。
【００３０】
情報配信システム１０は、配信されたコンテンツｃを蓄積部１０４に蓄積する。この結果、蓄積部１０４の記憶内容は、図９に示すように更新される。
携帯端末５０の通信管理部５０２は、情報配信システム１０の蓄積部１０４の中身を定期的にチェックしており（ステップ８０６）、コンテンツｃが到着したら、携帯端末５０へ配信を行う（ステップ８０８）。この結果、ユーザはコンテンツｃを携帯端末５０の出力部５１０で閲覧することができる。
【００３１】
本発明の第２実施形態として、ユーザの携帯端末５０が、高速無線ＬＡＮのみを有する場合について説明する。本発明の第２実施形態の構成図を図１０に示す。
第１実施形態では、情報配信システム１０が持っていないコンテンツのリクエストは、公衆移動通信網を使って行っていたが、それを、本実施形態では、無線ＬＡＮアンテナ５００を介して情報配信システム１０に渡し、駅に到着したときに、コンテンツのリクエストを車外用無線ＬＡＮアンテナ１００を介して、配信サーバ２０へ渡す点が第１実施形態と異なる。
【００３２】
第３実施形態として、リクエストするコンテンツとして、ユーザの私的なコンテンツを要求する場合について説明する。第１、第２実施形態では、誰でも見ることのできるコンテンツを例に説明したが、第３実施形態では、ユーザのプライベートなコンテンツ（メールやユーザが作成した書類など、これらを、ここでは私書箱コンテンツと呼ぶことにする）を送信する場合について説明する。
【００３３】
ユーザは、私書箱コンテンツを予め配信サーバ２０の蓄積部２０２に蓄えておき、車内で私書箱コンテンツをリクエストすることができる。私書箱コンテンツには、アクセス権（ユーザＩＤ、パスワード）が設定されており、ユーザ認証が成功するとリクエストＯＫとなる。コンテンツ選択時に図１１に示すような画面がでてくるので、ユーザは私書箱を選択すると、情報配信システム１０から車両ＩＤ１１０が携帯端末５０に送信され、そして、図１２に示すようにユーザＩＤとパスワードを要求される。それらを入力すると、車両ＩＤ１１０と、ユーザＩＤ、パスワードが公衆網を介して、配信サーバ２０に送られる。
【００３４】
ユーザ認証に成功すると、私書箱コンテンツのリクエストか行なわれ、情報配信システム１０が設置された車両が駅に停車した時に、私書箱コンテンツとユーザＩＤ、パスワードのセットか情報配信システム１０に送られる。
携帯端末５０は、一定時間毎に無線ＬＡＮアンテナ５００介して情報配信システム１０をチェックする。その際に、先に入力したユーザＩＤとパスワードのペアも送る。その結果、ユーザＩＤとパスワードが一致した私書箱コンテンツが、携帯端末５０へ送信される。これにより、携帯端末５０を所有するユーザは、第三者から見ることのできない私書箱コンテンツを車内で閲覧することができる。
【００３５】
なお、図１における情報配信システム１０の機能を実現するための情報配信プログラムをコンピュータ読み取り可能な記録媒体に記録して、この記録媒体に記録されたプログラムをコンピュータシステムに読み込ませ、実行することによりコンテンツを情報表示システム１０に配信する処理を行ってもよい。
【００３６】
ここで、「情報配信プログラム」とは、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤと前記情報配信システムが設置されている車両を特定する車両ＩＤとを前記携帯端末に送信し、該携帯端末より前記配信サーバに前記コンテンツＩＤ及び車両ＩＤを送信させるステップと、前記車両が駅に停車した際に前記配信サーバにアクセスし、車両ＩＤを伝えて該当するコンテンツを受け取り、自システム内に蓄積すると共に、前記携帯端末に送信するステップとをコンピュータに実行させるための情報配信プログラムをいう。
【００３７】
また、上記「情報配信プログラム」には、配信サーバと車外ＬＡＮで接続され、車内に設置された情報配信システムにより車内ＬＡＮにて携帯端末に情報を配信するための情報配信プログラムにおいて、前記配信サーバより該配信サーバに蓄積されているコンテンツの一覧を示すコンテンツリストを受け取り、保持すると共に、自システム内の各コンテンツの蓄積の有無を管理するステップと、前記携帯端末からのリクエストにより前記コンテンツリストを前記携帯端末に送信し、携帯端末からコンテンツの配信をリクエストされた場合に、そのリクエストされたコンテンツが自システム内に蓄積されている場合には、該コンテンツを前記携帯端末に配信するステップと、前記リクエストされたコンテンツが自システム内に蓄積されていない場合には、該コンテンツを識別するコンテンツＩＤを記憶しておくステップと、前記車両が駅に停車した際に前記配信サーバにアクセスし、前記コンテンツＩＤ及び車両を特定する車両ＩＤを伝えて該当するコンテンツを受け取るステップと、該コンテンツを自システム内に蓄積し、かつ前記携帯端末に送信するステップとをコンピュータに実行させるための情報配信プログラムが含まれる。
【００３８】
さらに、上記「情報配信プログラム」には、ユーザの私的コンテンツである私書箱コンテンツが予め蓄積されている配信サーバと車外ＬＡＮで接続され、車内に設置された情報配信システムにより車内ＬＡＮにて携帯端末に情報を配信するための情報配信プログラムにおいて、ユーザが前記携帯端末により私書箱コンテンツを選択した際に、前記情報配信システムが設置されている車両を特定する車両ＩＤを前記携帯端末に送信するステップと、ユーザが前記携帯端末により前記配信サーバに対して受信した前記車両ＩＤを含むユーザ認証を行うためのデータを送出し私書箱コンテンツのリクエストを行い、ユーザ認証がされた場合には、前記配信サーバから前記ユーザ認証を行うためのデータと、前記リクエストのあった私書箱コンテンツを受信し、自システム内に蓄積するステップと、前記携帯端末より前記車両ＩＤを含むユーザ認証を行うためのデータを受信しユーザ認証がされた場合には前記リクエストのあった私書箱コンテンツを前記携帯端末に送信するステップとをコンピュータに実行させるための情報配信プログラムが含まれる。
【００３９】
なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４１】
また上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００４２】
【発明の効果】
以上説明したように、本発明によれば、インターネットアクセス機能付の携帯端末から、ユーザのリクエストを受け付け、車両が駅や停留所に停車したときに、高速無線ＬＡＮでリクエストされたコンテンツを車内の情報配信システムに配信し、そこから、車内のユーザが持つ端末に配信するようにしたので、車内にいるユーザが要望したコンテンツを配信することができる。
【図面の簡単な説明】
【図１】本発明が適用されるネットワークシステムの構成例を示す説明図である。
【図２】図１における配信サーバの具体的構成を示すブロック図である。
【図３】図１における情報配信システム及び携帯端末の構成例を示すブロック図である。
【図４】図３の情報配信システムにおける蓄積部の記憶内容の一例を示す説明図である。
【図５】情報配信システムの携帯端末との処理シーケンスを示すフローチャートである。
【図６】情報配信システムの配信サーバ２０との処理シーケンスを示すフローチャートである。
【図７】携帯端末の処理シーケンスを示すフローチャートである。
【図８】図３における出力部の表示例を示す説明図である。
【図９】図３の情報配信システムにおける蓄積部の記憶内容の他の例を示す説明図である。
【図１０】図１における情報配信システム及び携帯端末の他の構成例を示すブロック図である。
【図１１】図３または図１０の携帯端末における出力部の他の表示例を示す説明図である。
【図１２】図３または図１０の携帯端末における出力部のさらに他の表示例を示す説明図である。
【符号の説明】
１０…情報配信システム、２０…配信サーバ、３１〜３３…無線ＬＡＮアクセスポイント、４０…ネットワーク、５０、５０Ａ…携帯端末、１００…車外用無線ＬＡＮアンテナ、１０２…対車外通信管理部、１０４、５０４…蓄積部、１０６…対車内通信管理部、１０８…車内用無線ＬＡＮアンテナ、５００…無線ＬＡＮアンテナ、５０２…通信管理部、５０６…入出力管理部、５０８…入力部、５１０…出力部、５１２…公衆移動通信網アンテナ
【図１】
2004139171.tif 000003
【図２】
2004139171.tif 000004
【図３】
2004139171.tif 000005
【図４】
2004139171.tif 000006
【図５】
2004139171.tif 000007
【図６】
2004139171.tif 000008
【図７】
2004139171.tif 000009
【図８】
2004139171.tif 000010
【図９】
2004139171.tif 000011
【図１０】
2004139171.tif 000012
【図１１】
2004139171.tif 000013
【図１２】
2004139171.tif 000014